(57)【特許請求の範囲】
【請求項１】
路上等の設置面に立設させる略逆Ｕ字状又は略矩形状の立設枠体を備え、ゴミ袋を収容するゴミステーションであって、
前記立設枠体に張設され、前記立設枠体の枠内を覆う背面ネットと、
前記立設枠体の高さ方向の中間位置に枢支連結される略Ｕ字状又は略矩形状の枠体であり、前記立設枠体に略重なる折畳姿勢と前記立設枠体から前方に略水平に突出する突出姿勢とに回動自在の回動枠体と、
前記回動枠体より上方の前記立設枠体に取付けられ、前記回動枠体の前記突出姿勢を保持する保持部材と、
前記回動枠体に取付けられ、前記立設枠体の前方でしかも前記突出姿勢の前記回動枠体の下方を覆う壁ネットと、
前記立設枠体の上側横枠に取付けられ、前記突出姿勢の前記回動枠体の上方空間を開閉自在に覆う開閉ネットと、
前記回動枠体の前枠に吊支され、前記突出姿勢の際に前記前枠と前記設置面との中間に配置される横棒部材と、
前記立設枠体に取付けられ、前記横棒部材を前記立設枠体に係留する係留部材とを備えることを特徴とする折畳式ゴミステーション。
【請求項２】
前記折畳姿勢の際に前記上側横枠と前記前枠とを係止する係止部を備えることを特徴とする請求項１記載の折畳式ゴミステーション。
【請求項３】
前記上側横枠及び前記前枠は丸棒部材からなり、前記係止部は、前記上側横枠の外周に環装されて前記外周周りに回動可能な環状部と、前記環状部から前記環状部の略接線方向に延設され、前記折畳姿勢の際に前記上側横枠と略横並びとなる前記前枠の上端を通過しつつ前記前枠の外周に沿って前記前枠の下端近傍まで折り曲げられる略つ字状の屈曲部と、
前記屈曲部の先端から前方に折り返されて略Ｃ字状の折返し部とを含み、可撓性を有することを特徴とする請求項２記載の折畳式ゴミステーション。
【請求項４】
前記逆Ｕ字状からなる前記立設枠体の縦枠の下端を挿抜自在に挿入させる縦穴を有し、前記立設枠体を立設支持する土台部を備えることを特徴とする請求項１〜３のいずれかに記載の折畳式ゴミステーション。
【請求項５】
前記土台部はブロック部材からなり、前記ブロック部材は、前記設置面に対する前記ブロック部材の傾斜を調整するアジャスターを備えることを特徴とする請求項４記載の折畳式ゴミステーション。
【請求項６】
前記土台部は、短冊状の平板部材と、前記平板部材に立設される筒部材であり、その筒穴を前記縦穴とする立設筒部材とを備え、前記平板部材の長尺方向を前後方向として設置されることを特徴とする請求項４記載の折畳式ゴミステーション。
【発明の詳細な説明】
【技術分野】
【０００１】
本発明は、例えば路上の一角に設置されて家庭から持ち出されるゴミ袋を収容するゴミステーションに関し、使用しない場合等には折畳んだ状態とすることが可能な折畳式ゴミステーションに関する。
【背景技術】
【０００２】
従来、家庭から出る生ゴミ等を収納したゴミ袋は、例えばフェンス、石垣或いは壁沿い等の所定の路上に一時載置されて、ゴミ回収業者によって回収される。ところが、生ゴミ等には、残飯等のカラスや猫等の餌となるものが含まれているため、単に載置しただけではこれらの動物に食い散らされてしまい、周囲に飛散するばかりでなくゴミ回収の作業の妨げや、不衛生となるという問題があった。
【０００３】
そこで多くの市街地では、上述の様に載置されたゴミ袋の群全体を、例えば魚網の様なネットによって覆うことで、鳥獣によって食い荒らされる事を防止する手段が、採用されている。しかし、上述した手段によれば、例えばネットの端が捲れたままになり、そこからゴミ袋がはみ出す等、鳥獣による食い荒らしを防止するには不十分となる虞があった。また、ゴミ袋をネットの下に載置する際に腰を屈めてネットの端を持上る必要がある等ゴミ袋を載置する動作が煩雑になり、特に高齢者にとって負担になるという問題があった。また、ゴミ袋の回収後に、ネットが広がった状態で路上に放置されると市街地の景観を損なう虞があるという問題があった。
【０００４】
このような問題に対し、鳥獣による食い荒らしを防止するととともに、例えば人の腰の高さ程度にゴミ袋の投入口を配置可能で、使用しない場合は折畳んだ状態としておくことが可能なゴミステーションに関する様々な提案がされている（例えば特許文献１）。
【先行技術文献】
【特許文献】
【０００５】
【特許文献１】実登３１６３６６２号公報
【発明の概要】
【発明が解決しようとする課題】
【０００６】
特許文献１によれば、地面等の設置面に立設するベースと、前記ベースを立設姿勢で設置面に固定する設置面用固定手段と、前記ベースに重なる収納姿勢と水平な姿勢で張り出す使用姿勢とに動作自在に支持された枠状部と、前記枠状部を収納姿勢と使用姿勢にそれぞれ保持する保持手段と、前記枠状部に取り付けられて筒状を為し、且つ柔軟性を有する材料から構成され、前記枠状部が使用姿勢になると下端が設置面に到達する丈を有するネットと、前記枠状部に取り付けられ、前記枠状部の開口を閉鎖する状態と開放する状態とに動作する開閉蓋とから成るゴミ集積場カバー装置が開示されている。
【０００７】
そして、特許文献１によれば、枠状部、ネット及び開閉蓋によって囲まれた空間がゴミ袋を収容するゴミ収容空間となっている。そのため、例えばこのゴミ収容空間がゴミ袋で満杯になった場合に開閉蓋の上にゴミ袋を載置すると、当該ゴミ袋に対してはネットでカバーされないため上述した鳥獣による食い荒らしを防止できない状態になる。したがって、特許文献１によれば、鳥獣による食い荒らしを防止可能な状態のゴミ収容空間が狭くなる虞があるという問題がある。
【０００８】
また、特許文献１によれば、例えばゴミ袋が上述したゴミ収容空間に満杯状態となった後にゴミ集積場にゴミ袋を持って来、開閉蓋を開けてゴミ袋を載置し、その上から開閉蓋でゴミ袋を押し込んだ場合、下端側のゴミ袋がネットの下端から押し出されて外にはみ出したり、載せたゴミ袋が滑落してネットの下端からはみ出したりする虞があるという問題がある。
【０００９】
そこで、本発明は、上記従来の問題に鑑みてなされたものであり、その目的は、ゴミ袋の収容空間を広く取ることができるとともに、収容したゴミ袋が当該収容空間の下端からはみ出し難いため鳥獣によるゴミ袋の食い荒らし防止に好適で、しかも景観に優れた折畳式ゴミステーションを提供することにある。
【課題を解決するための手段】
【００１０】
請求項１の発明は、路上等の設置面に立設させる略逆Ｕ字状又は略矩形状の立設枠体を備え、ゴミ袋を収容するゴミステーションであって、前記立設枠体に張設され、前記立設枠体の枠内を覆う背面ネットと、前記立設枠体の高さ方向の中間位置に枢支連結される略Ｕ字状又は略矩形状の枠体であり、前記立設枠体に略重なる折畳姿勢と前記立設枠体から前方に略水平に突出する突出姿勢とに回動自在の回動枠体と、前記回動枠体より上方の前記立設枠体に取付けられ、前記回動枠体の前記突出姿勢を保持する保持部材と、前記回動枠体に取付けられ、前記立設枠体の前方でしかも前記突出姿勢の前記回動枠体の下方を覆う壁ネットと、前記立設枠体の上側横枠に取付けられ、前記突出姿勢の前記回動枠体の上方空間を開閉自在に覆う開閉ネットと、前記回動枠体の前枠に吊支され、前記突出姿勢の際に前記前枠と前記設置面との中間に配置される横棒部材と、前記立設枠体に取付けられ、前記横棒部材を前記立設枠体に係留する係留部材とを備える、折畳式ゴミステーションである。
【００１１】
請求項２の発明は、請求項１記載の折畳式ゴミステーションにおいて、前記折畳姿勢の際に前記上側横枠と前記前枠とを係止する係止部を備えることを特徴とする。
【００１２】
請求項３の発明は、請求項２記載の折畳式ゴミステーションにおいて、前記上側横枠及び前記前枠は丸棒部材からなり、前記係止部は、前記上側横枠の外周に環装されて前記外周周りに回動可能な環状部と、前記環状部から前記環状部の略接線方向に延設され、前記折畳姿勢の際に前記上側横枠と略横並びとなる前記前枠の上端を通過しつつ前記前枠の外周に沿って前記前枠の下端近傍まで折り曲げられる略つ字状の屈曲部と、前記屈曲部の先端から前方に折り返されて略Ｃ字状の折返し部とを含み、可撓性を有することを特徴とする。
【００１３】
請求項４の発明は、請求項１〜３のいずれかに記載の折畳式ゴミステーションにおいて、前記逆Ｕ字状からなる前記立設枠体の縦枠の下端を挿抜自在に挿入させる縦穴を有し、前記立設枠体を立設支持する土台部を備えることを特徴とする。
【００１４】
請求項５の発明は、請求項４記載の折畳式ゴミステーションにおいて、前記土台部はブロック部材からなり、前記ブロック部材は、前記設置面に対する前記ブロック部材の傾斜を調整するアジャスターを備えることを特徴とする。
【００１５】
請求項６の発明は、請求項４記載の折畳式ゴミステーションにおいて、前記土台部は、短冊状の平板部材と、前記平板部材に立設される筒部材であり、その筒穴を前記縦穴とする立設筒部材とを備え、前記平板部材の長尺方向を前後方向として設置されることを特徴とする。
【発明の効果】
【００１６】
本発明によれば、路上等の設置面に立設させる略逆Ｕ字状又は略矩形状の立設枠体を備え、ゴミ袋を収容するゴミステーションであって、前記立設枠体に張設され、前記立設枠体の枠内を覆う背面ネットと、前記立設枠体の高さ方向の中間位置に枢支連結される略Ｕ字状又は略矩形状の枠体であり、前記立設枠体に略重なる折畳姿勢と前記立設枠体から前方に略水平に突出する突出姿勢とに回動自在の回動枠体と、前記回動枠体より上方の前記立設枠体に取付けられ、前記回動枠体の前記突出姿勢を保持する保持部材と、前記回動枠体に取付けられ、前記立設枠体の前方でしかも前記突出姿勢の前記回動枠体の下方を覆う壁ネットと、前記立設枠体の上側横枠に取付けられ、前記突出姿勢の前記回動枠体の上方空間を開閉自在に覆う開閉ネットと、前記回動枠体の前枠に吊支され、前記突出姿勢の際に前記前枠と前記設置面との中間に配置される横棒部材と、前記立設枠体に取付けられ、前記横棒部材を前記立設枠体に係留する係留部材とを備える構成であるから、突出姿勢の回動枠体の下方空間が複数のゴミ袋によって満杯になった場合であっても、更にその上にゴミ袋を載置して背面ネットと開閉ネットとで覆うことができる。この様に、ゴミ袋の収容空間として、突出姿勢の回動枠体の下方空間に加えて回動枠体の上方の空間を利用することでゴミ袋の収容空間を広く取ることができる。また、上述した様に複数のゴミ袋で当該収容空間が満杯となった場合でも、例えば下側のゴミ袋が前方へ押し出されることを、係留部材で立設枠体に係留された横棒部材によって防止できるので、壁ネットの下端からゴミ袋がはみ出し難く、鳥獣によるゴミ袋の食い荒らし防止に好適な折畳式ゴミステーションを提供できる。また、当該ゴミ収容空間に積み上げられた複数のゴミ袋は、横棒部材によって荷崩れし難いので景観に優れた折畳式ゴミステーションを提供できる。
【００１７】
また、前記折畳姿勢の際に前記上側横枠と前記前枠とを係止する係止部を備える構成であるから、折畳姿勢を係止部で維持できるので景観に優れるとともに、持ち運びを容易とする折畳式ゴミステーションを提供できる。
【００１８】
また、前記上側横枠及び前記前枠は丸棒部材からなり、前記係止部は、前記上側横枠の外周に環装されて前記外周周りに回動可能な環状部と、前記環状部から前記環状部の略接線方向に延設され、前記折畳姿勢の際に前記上側横枠と略横並びとなる前記前枠の上端を通過しつつ前記前枠の外周に沿って前記前枠の下端近傍まで折り曲げられる略つ字状の屈曲部と、前記屈曲部の先端から前方に折り返されて略Ｃ字状の折返し部とを含み、可撓性を有する構成であるから、例えば折返し部を手で持って環状部を上側枠部材の外周周りに上下方向に回すことで、屈曲部を前側枠部材に容易に嵌合でき、上側横枠と前枠との係止操作を容易に行うことができる。
【００１９】
また、前記逆Ｕ字状からなる前記立設枠体の縦枠の下端を挿抜自在に挿入させる縦穴を有し、前記立設枠体を立設支持する土台部を備える構成でるから、例えば土台部から立設枠体を引抜くことで容易に立設枠体及び回動枠体を持ち運びできるので、ゴミ集積場の清掃等をし易くなり、ひいては景観に優れた折畳式ゴミステーションを提供できる。
【００２０】
また、前記土台部はブロック部材からなり、前記ブロック部材は、前記設置面に対する前記ブロック部材の傾斜を調整するアジャスターを備える構成であるから、例えば折畳式ゴミステーショを斜面に設置する場合でも、立設枠体を略垂直に立設させることができるので、景観に優れた折畳式ゴミステーションを提供できる。
【００２１】
また、前記土台部は、短冊状の平板部材と、前記平板部材に立設される筒部材であり、その筒穴を前記縦穴とする立設筒部材とを備え、前記平板部材の長尺方向を前後方向として設置される構成であるから、片付けや持ち運びが容易な折畳式ゴミステーションを提供できる。
【図面の簡単な説明】
【００２２】
【図１】本発明の実施形態に係る折畳式ゴミステーションの斜視図である。
【図２】本発明の実施形態に係る折畳式ゴミステーションの枠構造を説明する斜視図である。
【図３】本発明の実施形態に係る折畳式ゴミステーションのネットを説明する斜視図である。
【図４】本発明の実施形態に係る折畳式ゴミステーションの折畳んだ状態を説明する斜視図である。
【図５】本発明の実施形態に係る折畳式ゴミステーションの係止部を説明する斜視図である。
【図６】本発明の実施形態に係る折畳式ゴミステーションの土台部の例を説明する斜視図である。
【図７】本発明の実施形態に係る折畳式ゴミステーションの土台部の例を説明する斜視図である。
【図８】本発明の実施形態に係る折畳式ゴミステーションの使用例を説明する斜視図である。
【図９】本発明の実施形態に係る折畳式ゴミステーションの使用例を説明する斜視図である。
【発明を実施するための形態】
【００２３】
本発明の好適な実施形態の例について、図を用いて説明する。
本実施形態の折畳式ゴミステーション１０は、一般家庭から排出されるゴミ袋を収容するゴミステーションであり、図１に示す様に、例えば設置面Ｌである路上の壁Ｗ際等に設置されて用いられる。
【００２４】
本実施形態の折畳式ゴミステーション１０は、図１〜図４に示すように、立設枠体１２と、回動枠体１４と、保持部材１６ａ，１６ｂと、背面ネット１８と、壁ネット２０と、開閉ネット２２と、横棒部材２４と、係留部材２６と、土台部２８と、係止部３０とを備える。なお、図２及び図４では、折畳式ゴミステーション１０に係る枠構造の説明の便宜のため、背面ネット１８、壁ネット２０及び開閉ネット２２を省略している。
【００２５】
まず、本実施形態の立設枠体１２は、図１及び図２に示すように、一対の縦枠３４ａ，３４ｂと、一対の縦枠３４ａ，３４ｂの上端に横架される上側横枠３６とを備える。縦枠３４ａ，３４ｂは、例えば人の背丈程度の長さを有する金属製円筒杆で形成され、図１及び図２に示すように、設置される場所の広さに応じた間隔を設けて対向配置される。この間隔が、立設枠体１２の幅を形成する。また、上側横枠３６は、図１及び図２に示すように、前記幅と略同じ長さを有する丸棒部材としての金属製円筒杆で形成される。そして、立設枠体１２は、図２に示すように、上側横枠３６が、一対の縦枠３４ａ，３４ｂの上端にＬ字状連結管３８ａ，３８ｂで連結され、略Ｕ字状に形成される。
【００２６】
なお、本実施形態の立設枠体１２は、図１及び図２に示すように、立設枠体１２の補強部材をネジ等で取り付けている。具体的には、補強部材は、図１及び図２に示すように、縦枠３４ａ，３４ｂの高さ方向の中途２箇所を横架する補強用横棒部材４０ａ，４０ｂと、上側横枠３６と下端の補強用横棒部材４０ｂとの間に、たすきがけ状に配置される２本の長板部材４１である。このように形成される立設枠体１２は、図１及び図２に示すように、後述する土台部２８によって立設支持されるが、この点については再述する。
【００２７】
また、立設枠体は、本実施形態の逆Ｕ字状に限るものではなく、略矩形状に形成された枠体であってもよい。この場合、例えば前記略矩形状の底辺枠に平板を設け、前記平板を設置面に設置し、立設枠体を立設させるとよい。
【００２８】
次に、本実施形態の回動枠体１４は、図２に示す様に、一対の側枠４２ａ，４２ｂと、前枠４４とを備える。側枠４２ａ，４２ｂは、図２に示す様に、例えば縦枠３４ａ，３４ｂの長さの略３分の１〜４分の１の長さを有する金属製円筒杆で形成され、対向配置される。また、前枠４４は、図２に示す様に、上側横枠３６と略同じ長さを有する丸棒部材としての金属製円筒杆で形成される。そして、回動枠体１４は、図２に示す様に、前枠４４の両端に、Ｌ字状連結管４５ａ，４５ｂを介して一対の側枠４２ａ，４２ｂをそれぞれ連結され、略Ｕ字状に形成される。このように、回動枠体１４は、立設枠体１２の幅と略同じ幅を有する略Ｕ字状の枠体で形成される。
【００２９】
このように形成される回動枠体１４は、図１及び図２に示す様に、立設枠体１２の高さ方向の中間位置である縦枠３４ａ，３４ｂの中途に枢支連結される。より詳しくは、縦枠３４ａ，３４ｂの上端から側枠４２ａ，４２ｂの長さ分低い位置に、側枠４２ａ，４２ｂの端であって前枠４４との連結側と反対端が、蝶番４８ａ，４８ｂを介してそれぞれ連結され、上下方向に回動自在に枢支される。いいかえると、本実施形態の回動枠体１４は、立設枠体１２を横架する略水平な枢支軸４９を介して、略Ｕ字状の枠体の開放端側が立設枠体１２の高さ方向の中間位置に枢支連結される。従って、回動枠体１４は、図１、図２及び図４に示す様に、略水平な枢支軸４９を介し、立設枠体１２の上端側に略重なる折畳姿勢と立設枠体１２から前方に略水平に突出する突出姿勢とに回動自在の構成となっているのである。また、前枠４４は、回動枠体１４の枠部材であって、枢支軸４９に対向する枠部材を構成する。
なお、回動枠体は、本実施形態の略Ｕ字状に限るものではなく、略矩形状に形成され、その一辺側を前枠とし、前記前枠と対向する辺側を立設枠体１２に枢支連結されてもよい。
【００３０】
次に、保持部材１６ａは、図２に示す様に、例えば上側横枠３６の一端側（３８ａ）から、突出姿勢にされた回動枠体１４のコーナーであって、前記一端側と同じ側のコーナー（４５ａ）までの略長さを有する鎖部材で形成される。そして、保持部材１６ａは、図１及び図２に示す様に、その一端を上側横枠３６の一端側（３８ａ）に連結され、他端を回動枠体１４のコーナー（４５ａ）に連結される。
【００３１】
このように、保持部材１６ａは、回動枠体１４より上方の立設枠体１２に取付けられ、回動枠体１４の突出姿勢を保持する構成となっているのである。なお、本実施形態の折畳式ゴミステーション１０は、図１及び図２に示す様に、上側横枠３６の反対端（３８ｂ）側にも保持部材１６ｂを備え、保持部材１６ｂは、回動枠体１４の他方のコーナー（４５ｂ）と上側横枠３６の他端側（３８ｂ）に連結される。また、保持部材は、鎖部材に限るものではなく、例えば紐部材やベルト部材で形成されてもよい。
【００３２】
次に、背面ネット１８、壁ネット２０及び開閉ネット２２は、例えばカラス等の口ばしが入らない程度の大きさの網目を有する合成樹脂製の平ネット部材で形成される。
まず、背面ネット１８は、図３に示す様に、例えば上側横枠３６の長さの横辺と、縦枠３４ａ，３４ｂの長さの縦辺とを有する長方形状に形成され、図１に示す様に、立設枠体１２の枠内全体を覆う様に配置され、例えば結束バンド（図示しない）を介して立設枠体１２に張設される。
【００３３】
次に、壁ネット２０は、図３に示す様に、例えば前枠４４の長さに側枠４２ａ，４２ｂの２倍の長さを加算した長さよりやや長い長辺１９，２１と、突出姿勢の回動枠体１４から設置面までの高さよりやや長い短辺を有する長方形状で形成される。そして、壁ネット２０は、図１に示す様に、一方の前記長辺１９側が例えばネジを含む連結手段４６を介して回動枠体１４に取付けられ、回動枠体１４から垂れ下がった状態となる。
このように、壁ネット２０は、立設枠体１２の前方でしかも突出姿勢の回動枠体１４の下方空間を覆う袴部を形成する。なお、壁ネットは、長方形状に限るものではなく台形状に形成され、台形の上底辺部分を回動枠体１４に取付けられても良い。後述する土台部２８が、壁ネット内に収まり易いからである。また、壁ネット２０は、図１に示す様に、ネジを含む連結手段４６´を介して、後述する横棒部材２４に係止されてもよい。
【００３４】
次に、開閉ネット２２は、図３に示す様に、例えば壁ネット２０の長辺と同じ長さの長辺２３，２５と、側枠４２ａ，４２ｂの略２倍の短辺を有する長方形状で形成される。そして、開閉ネット２２は、図１に示す様に、突出姿勢の回動枠体１４及び保持部材１６ａ，１６ｂを上から覆う態様で配置され、一方の長辺２５（図３参照）の中央部近傍が、ネジ等を含む連結手段４６を介して上側横枠３６に取付けられる。このように、開閉ネット２２は、図１に示す様に、その他方の長辺２３が自由端となるので、この長辺２３側を手で掴んで上下させることで、突出姿勢の回動枠体１４の上方空間を開閉自在に覆うことができる。なお、開閉ネット２２の取付けられた長辺２５の両端近傍のネット部分２５ａ，２５ｂ（図３参照）は、それぞれ縦枠３４ａ，３４ｂの上端部に、結束バンド（図示しない）を介して取付けられてもよい。
【００３５】
次に、横棒部材２４は、図１及び図２に示す様に、例えば前枠４４と略同じ長さを有する金属製円筒杆で形成される。そして、横棒部材２４は、図１及び図２に示す様に、壁ネット２０の内側で、突出姿勢の前枠４４と設置面Ｌとの中央近傍の高さ位置で、前枠４４と略平行に配置される。このように配置される横棒部材２４は、図１及び図２に示す様に、例えば鎖部材等の吊支部材３２ａ，３２ｂを介して、前枠４４に揺動自在に吊支される。
【００３６】
次に、係留部材２６ａ，２６ｂは、図１及び図２に示す様に、例えば側枠４２ａ，４２ｂと略同じ長さを有する鎖部材でそれぞれ形成される。そして、一方の係留部材２６ａは、図１及び図２に示す様に、その一端が横棒部材２４の一端側２４ａに連結され、他端は前記一方の縦枠３４ａの中途であって、横棒部材２４と略同じ高さに連結される。他方の係留部材２６ｂは、その一端が横棒部材２４の他端側２４ｂに連結され、他端は他方の縦枠３４ｂの中途であって、横棒部材２４と略同じ高さに連結される。従って、横棒部材２４は、図１及び図２に示す様に、前枠４４の下方で前後方向に揺動可能に配置される。
【００３７】
このように形成される、係留部材２６ａ，２６ｂは、縦枠３４ａ，３４ｂに取付けられ、横棒部材２４を立設枠体１２に係留する構成となっているのである。
なお、係留部材は、鎖部材に限るものではなく、例えば紐部材、ベルト部材或いはワイヤ部材で形成されてもよい。
【００３８】
次に、本実施形態の係止部３０について、図２、図４及び図５を用いて説明する。図５は係止部３０を説明する側面図であり、図５（ａ）は、係止部３０が外れた状態を示し、図５（ｃ）は、係止した状態を示し、図５（ｂ）は、例えば図５（ａ）の状態から図５（ｃ）の状態となる途中の状態を示す。
係止部３０は、可撓性を有する一本の金属製の線材を折曲形成されたもので、図２、図４及び図５に示す様に、上側横枠３６の外周に環装されてその外周周りに回動可能な環状部５１と、環状部５１から環状部５１の略接線方向に延設され、折畳姿勢の際に上側横枠３６と略横並びとなる前枠４４の上端を通過しつつ前枠４４の外周に沿って前枠４４の下端近傍まで折り曲げられる略つ字状の屈曲部５２と、屈曲部５２の先端から前方に折り返されて略Ｃ字状の折返し部５３とを含む構成となっている。
【００３９】
したがって、図５（ａ）に示す様に、回動枠体１４を折畳姿勢とし、折返し部５３を下げると、環状部５１が上側横枠３６の外周周りに回動して折返し部５３が前枠４４の外周に接触する（図５（ｂ）参照）。さらに、折返し部５３を押し下げると、折返し部５３が前記外周によって撓わみつつ下方に下がり、屈曲部５２の内側が前枠４４の外周に嵌合し、折返し部５３の撓みが戻って環状部５１の回動がロックされる（図５（ｃ））。このようにして、前枠４４が上側横枠３６に係止される。逆に、折返し部５３を上方に押し上げる操作により、ロックが外れる。本実施形態の係止部３０によれば、簡単な操作で上側横枠３６と前枠４４とを容易に係止できる。
【００４０】
上述のように、本実施形態の折畳式ゴミステーション１０は、折畳姿勢の際に上側横枠３６と前枠４４とを係止する係止部を備える構成となっているのである。
なお、係止部は、本実施形態の構成に限るものではなく、例えば紐部材で形成され、上側横枠３６と前枠４４とを折畳姿勢にした状態で、当該紐部材で結んでもよい。また、係止部は、前枠４４をその内側に嵌合可能な半割り状の管部材で形成され、当該管部材を上側横枠３６に沿って設けてもよい。
【００４１】
次に、本実施形態の土台部２８，２８´，５８について、図１、図２、図６及び図７を用いて説明する。図６は、土台部２８の変形例を説明する側面説明図である。図７は、他の土台部の例である土台部５８を説明する斜視図である。
まず土台部２８は、図１及び図２に示す様に、例えば略四角錐台状のコンクリート製のブロック部材２９ａ，２９ｂで形成される。このブロック部材２９ａ，２９ｂは、図２に示す様に、縦枠３４ａ，３４ｂの直径と同じ直径を有する縦穴３１ａ，３１ｂをそれぞれ穿設させ、縦穴３１ａ，３１ｂに縦枠３４ａ，３４ｂの下端を挿抜自在に挿入させる。従って、土台部２８，２８は、図１及び図２に示す様に、縦枠３４ａ，３４ｂの下端を縦穴３１ａ，３１ｂにそれぞれ挿入させた状態で、立設枠体１２を立設支持する構成となっているのである。
【００４２】
なお、ブロック部材の形状は、例えば直方体状等の任意の形状としてもよい。また、縦穴は、本実施形態の様に、ブロック部材に直接穿設される構成に限るものではなく、例えばブロック部材に直接穿設される穴の中に更に、円筒状のパイプ部材を嵌合させ、当該パイプ部材の筒内に縦枠３４ａ，３４ｂの下端を挿抜自在に挿入させる構成であってもよい。
【００４３】
次に、変形例である土台部２８´は、図６に示す様に、ブロック部材２９の底部にアジャスター５６を設ける。このアジャスター５６は、設置面Ｌ´に対するブロック部材２９の底面の傾斜を調整可能なアジャスターボルトを含むものであり、設置面の傾斜に応じてアジャスター５６を調整して底面を水平に維持できる。そのため、例えば幅方向に傾斜した路上で片側に垂直な壁がある場所に折畳式ゴミステーション１０を設置する場合でも、アジャスターを調整して立設枠体を略垂直に立設させ、垂直な壁に立設枠体を略平行に配置させることができるので、景観を損なわない態様で設置できる。
【００４４】
次に、土台部５８は、図７に示す様に、平板部材５９と、立設筒部材６０とを備える。平板部材５９は、図７に示す様に、例えば短冊状の金属製平板部材で形成され、長尺方向を前後方向、すなわち回動枠体１４の突出方向に向けて配置される。
また、立設筒部材６０は、図７に示す様に、縦枠３４の下端を挿抜自在に挿入させる縦穴としての筒穴６２を有する円筒部材で形成され、平板部材５９の後端近傍に立設される。なお、平板部材５９の長尺方向の長さは、立設筒部材６０に縦枠３４の下端を挿入して突出姿勢とした場合、立設枠体１２が倒れない程度の長さとするとよい。
【００４５】
次に、本実施形態の折畳式ゴミステーション１０の使用例について、図１、図４、図８及び図９を用いて説明する。
まず、図１に示す様に、折畳式ゴミステーション１０を路上の壁Ｗ際等の設置面Ｌに設置する。その際、土台部２８，２８を所定の壁Ｗ際に設置し、折畳状態の立設枠体１２の縦枠３４ａ，３４ｂの下端を土台部２８，２８の縦穴３１ａ，３１ｂに挿入して立設枠体１２を立設させる。次に、回動枠体１４を回動させて突出姿勢とさせ（図２参照）、開閉ネット２２で回動枠体１４の上方を覆い、背面ネット１８の下端や壁ネット２０の下端（２１）が設置面Ｌに届くように整える（図１参照）。
【００４６】
次に、ゴミ袋Ｇを投入する際は、図１及び図８に示す様に、開閉ネット２２の手前側（長辺２３側）を持って捲り揚げ、回動枠体１４の中に投入する。回動枠体１４の下方空間Ｓａが満杯の場合であっても、図２及び図９に示す様に、回動枠体１４の上方の空間Ｓｂを利用してゴミ袋Ｇを積み上げれば良い。
一方、ゴミ袋Ｇを回収する際は、開閉ネット２２の手前側（長辺２３側）を持って開閉ネット２２を捲り上げ、例えば回動枠体１４の上方のゴミ袋Ｇを回収し、次に、回動枠体１４を折畳姿勢にして係止部３０で上側横枠３６に係止させ、収容空間Ｓを開放した状態で残ったゴミ袋を回収する。このように、本実施形態の折畳式ゴミステーション１０によれば、収容されたゴミ袋Ｇの回収作業を楽に行うことができる。
さらに、ゴミ袋の回収後は、回動枠体１４を折畳姿勢とした状態で立設枠体１２ごと土台部２８，２８から引抜いて、設置場所の清掃が可能となる。
また、折畳状態の立設枠体１２は、持ち運びを容易に行うことができる。
【００４７】
以上説明した様に、本実施形態の折畳式ゴミステーション１０によれば、図１及び図２に示す様に、突出姿勢の回動枠体１４の下方空間Ｓａに加え、回動枠体１４の上方の空間Ｓｂを利用することでゴミ袋の収容空間Ｓを広く取ることができる。また、上述した様に複数のゴミ袋Ｇで収容空間Ｓが満杯となった場合でも、例えば下側のゴミ袋が前方へ押し出されることを、係留部材２６ａ，２６ｂで立設枠体１２に係留された横棒部材２４によって防止できるので、壁ネット２０の下端からゴミ袋がはみ出し難く、鳥獣によるゴミ袋の食い荒らし防止に好適である。また、図９に示す様に、ゴミ袋の収容空間Ｓに積み上げられた複数のゴミ袋Ｇは、壁ネット２０のみならず横棒部材２４によっても荷崩れし難いので、景観に優れた折畳式ゴミステーションを提供できる。
【００４８】
これまで説明してきた様に、本実施形態の折畳式ゴミステーション１０によれば、ゴミ袋の収容空間Ｓを広く取ることができるとともに、収容したゴミ袋が収容空間Ｓの下端からはみ出し難いため鳥獣によるゴミ袋の食い荒らし防止に好適で、しかも景観に優れた折畳式ゴミステーションを提供できる。
【００４９】
以上、本発明の実施形態のうちいくつかを図面に基づいて詳細に説明したが、これらはあくまでも例示であり、当業者の知識に基づいて種々の変形、改良を施した他の形態で本発明を実施することが可能である。例えば縦枠３４ａ，３４ｂの下端を挿抜自在に挿入させる挿入孔を設置面に穿設し、この挿入孔に一対の縦枠３４ａ，３４ｂの下端を挿入させることで、立設枠体１２を立設させる構成でもよい。
【符号の説明】
【００５０】
１０  折畳式ゴミステーション
１２  立設枠体
１４  回動枠体
１６ａ，１６ｂ  保持部材
１８  背面ネット
２０  壁ネット
２２  開閉ネット
２４  横棒部材
２６ａ，２６ｂ  係留部材
２８，２８´，５８  土台部
２９ａ，２９ｂ  ブロック部材
３０  係止部
３１ａ，３１ｂ  縦穴
３６  上側横枠（丸棒部材）
４４  前枠（丸棒部材）
５１  環状部
５２  屈曲部
５３  折返し部
５６  アジャスター
５９  平板部材
６０  立設筒部材
Ｌ，Ｌ´  設置面
【要約】
【課題】ゴミ袋の収容空間を広く取ることができるとともに、収容したゴミ袋が当該収容空間の下端からはみ出し難く、鳥獣によるゴミ袋の食い荒らし防止に好適で、景観に優れた折畳式ゴミステーションを提供する。
【解決手段】路上等の設置面に立設させる立設枠体と、立設枠体に張設される背面ネットと、立設枠体に枢支連結され、立設枠体に略重なる折畳姿勢と立設枠体から前方に略水平に突出する突出姿勢とに回動自在の回動枠体と、回動枠体の突出姿勢を保持する保持部材と、回動枠体に取付けられる壁ネットと、突出姿勢の回動枠体の上方空間を開閉自在に覆う開閉ネットと記回動枠体の前枠に釣支される横棒部材と、立設枠体に取付けられ、横棒部材を立設枠体に係留する係留部材とを備える。
【選択図】図１【図１】
0005478704.tif 000002
【図２】
0005478704.tif 000003
【図３】
0005478704.tif 000004
【図４】
0005478704.tif 000005
【図５】
0005478704.tif 000006
【図６】
0005478704.tif 000007
【図７】
0005478704.tif 000008
【図８】
0005478704.tif 000009
【図９】
0005478704.tif 000010